(57)【特許請求の範囲】
【請求項１】
片引戸が戸口を形成する控え壁に重なることによって前記戸口が開放され、前記片引戸が戸口を形成する戸当たり壁に当接することによって前記戸口が閉鎖される片引戸の設置構造であって、
前記片引戸の戸尻側の側端部で前記控え壁を向く面には、第１気密材が前記控え壁との間に所定間隔を隔てて設けられており、
前記控え壁の戸口側の側端部で前記片引戸側を向く面には、第２気密材が前記片引戸との間に所定間隔を隔てて設けられており、
前記片引戸によって戸口が閉鎖された状態で、前記第１気密材と第２気密材とが密接し、
前記片引戸は、引戸本体と、この引戸本体の側端部に引戸本体の移動方向と直交する面内で回動可能に設けられて、上下が反転可能な回動部材とを備え、
この回動部材の回動方向に向く面に、前記第１気密材が設けられていることを特徴とする片引戸の設置構造。
【請求項２】
請求項１記載の片引戸の設置構造において、
前記戸当たり壁には、第３気密材が設けられており、
前記片引戸によって戸口が閉鎖された状態で、前記第３気密材に前記片引戸が密接することを特徴とする片引戸の設置構造。
【請求項３】
請求項１又は２記載の片引戸の設置構造において、
前記回動部材には、該回動部材の長手方向に沿って延在する溝状の取っ手が設けられていることを特徴とする片引戸の設置構造。
【請求項４】
請求項２記載の片引戸の設置構造において、
前記第１〜第３気密材は、それぞれモヘアで形成されていることを特徴とする片引戸の設置構造。
【発明の詳細な説明】
【０００１】
【発明の属する技術分野】
本発明は、片引戸が戸口を形成する控え壁に重なることによって戸口が開放され、片引戸が戸口を形成する戸当たり壁に当接することによって戸口が閉鎖される片引戸の設置構造に関するものである。
【０００２】
【背景の技術】
例えば、特開平１１−２７０２３９号公報に記載されているように、部屋の出入り口における戸口に片引戸が設置されている場合、片引戸が控え壁（戸口を開放した時に片引戸が位置する場所）に重なることにより戸口が開放され、片引戸の戸当たり側の側端部が戸当たり壁（戸口が閉鎖された時に片引戸が位置する場所）に当接することによって、戸口が閉鎖されるようになっている。
【０００３】
【発明が解決しようとする課題】
ところで、前記戸口が片引戸によって閉鎖された場合において、片引戸の戸尻側の側端部で控え壁側を向く面と、控え壁の片引戸側を向く面との間には隙間が生じ、この隙間から隙間風、光、ほこり等が入ってくることがあるので、これら片引戸と控え壁との間の気密性を確保することが望まれている。そのため、一般に、片引戸の戸尻側の側端部で控え壁側を向く面、または、控え壁の片引戸側を向く面のうち、どちらか一方に気密材を取り付けることが知られている。
しかし、このように片引戸または控え壁の一方のみに気密材を取り付けた場合は、片引戸を容易に開閉することができない。
つまり、例えば、気密材が片引戸の一方に取り付けられている場合は、この気密材は、控え壁と片引戸との間の隙間をなくすために、片引戸の側端部で控え壁側を向く面に、控え壁に接するようにして設ける必要があった。そのため、片引戸を移動させた際に、片引戸に設けられた気密材が控え壁に擦れてしまい、片引戸をスムーズに開閉することができなかった。また、気密材が控え壁の一方に取り付けられている場合においても、同様に、片引戸を移動させた際に、控え壁に設けられた気密材が片引戸に擦れてしまい、片引戸をスムーズに開閉することができなかった。
【０００４】
本発明は、上記事情に鑑みてなされたもので、戸口を閉鎖した際に、片引戸と控え壁との間の気密性を確実に確保することができるとともに、片引戸をスムーズに開閉することのできる片引戸の設置構造を提供することを課題としている。
【０００５】
【課題を解決するための手段】
上記課題を解決するために、請求項１の発明は、例えば、図１、図３および図４に示すように、片引戸１が戸口２を形成する控え壁１５に重なることによって前記戸口２が開放され、前記片引戸１が戸口２を形成する戸当たり壁１６に当接することによって前記戸口２が閉鎖される片引戸１の設置構造であって、
前記片引戸１の戸尻側１aの側端部で前記控え壁１５を向く面には、第１気密材９が前記控え壁１５との間に所定間隔を隔てて設けられており、
前記控え壁１５の戸口２側の側端部で前記片引戸１側を向く面には、第２気密材２６が前記片引戸１との間に所定間隔を隔てて設けられており、
前記片引戸１によって戸口２が閉鎖された状態で、前記第１気密材９と第２気密材２６とが密接し、
前記片引戸１は、引戸本体３と、この引戸本体３の側端部に引戸本体３の移動方向と直交する面内で回動可能に設けられて、上下が反転可能な回動部材４とを備え、
この回動部材４の回動方向に向く面に、前記第１気密材９が設けられていることを特徴とする。
【０００６】
請求項１の発明によれば、前記片引戸１の戸尻側１aの側端部で前記控え壁１５側を向く面に設けられた第１気密材９と、前記控え壁１５の戸口２側の側端部で前記片引戸１側を向く面に設けられた第２気密材２６とが、戸口２が閉鎖された状態で密接するので、これら第１気密材９と第２気密材２６とによって、片引戸１の戸尻側１aの側端部で控え壁１５側を向く面と、控え壁１５の戸口２側の側端部で片引戸１側を向く面との間の隙間をなくし、隙間風、光、ほこり等の侵入を防止できる。したがって、これらの間の気密性を確実に確保することができ、冷暖房効率の向上につながる。
【０００７】
また、片引戸１に前記第１気密材９が、控え壁１５と所定間隔を隔てて設けられ、控え壁１５に第２気密材２６が、片引戸１と所定間隔を隔てて設けられており、これら第１気密材１９と第２気密材とは、片引戸１と控え壁５との両方にそれぞれ分けて設けられているので、片引戸１を容易に開閉することができる。
つまり、例えば、片引戸１または控え壁１６の一方のみに設けられている場合は、片引戸１の戸尻側１aの側端部で控え壁１５側を向く面と、控え壁１５の戸口２側の側端部で片引戸１側を向く面との間の隙間をなくすために、気密材は、片引戸１または控え壁１５に接するようにして設ける必要があるので、片引戸１を移動させた際に、この気密材が擦れて片引戸１を開閉しづらい。
しかし、本発明では、第１気密材９が控え壁１５と所定間隔を隔てて設けられ、第２気密材２６が片引戸１と所定間隔を隔てて設けられることによって、片引戸１を開閉する途中で第１気密材９が控え壁１５に擦れたり、第２気密材２６が片引戸１に擦れたりすることがない。したがって、片引戸１をスムーズに開閉することができる。
前記片引戸１は、引戸本体３と回動部材４とを備え、この回動部材４の回動方向を向く面に第１気密材９が設けられているので、前記回動部材４を引戸本体３の移動方向と直交する面内で上下に反転させることによって、前記第１気密材９を引戸本体３の両方の面に選択的に配置できる。
つまり、この片引戸１が右開き用であれば、片引戸１の右側端部裏面に第１気密材９を配置でき、片引戸１が左開き用であれば、片引戸１の左側端部裏面に第１気密材９を配置できる。
したがって、この片引戸１を右開き用および左開き用として兼用することができ、よって、新たに右開き用や左開き用の片引戸１を随時製造する必要がなく、施工作業を簡略化することができるとともにコストの削減にもつながる。
【０００８】
請求項２の発明は、例えば、図３に示すように、請求項１記載の片引戸１の設置構造において、
前記戸当たり壁１６には、第３気密材２８が設けられており、
前記片引戸１によって戸口２が閉鎖された状態で、前記第３気密材２８に前記片引戸１が密接することを特徴とする。
【０００９】
請求項２の発明によれば、前記片引戸１によって戸口２が閉鎖された状態で、前記戸当たり壁１６に設けられた第３気密材２８に、片引戸１が密接するので、戸当たり壁１６と片引戸１との間の隙間をなくし、隙間風、光、ほこり等の侵入を防止できる。したがって、これらの間の気密性を確実に確保することができ、冷暖房効率の向上につながる。
【００１２】
請求項３の発明は、例えば、図１および図３に示すように、請求項１又は２記載の片引戸１の設置構造において、
前記回動部材４には、該回動部材４の長手方向に沿って延在する溝状の取っ手４bが設けられていることを特徴とする。
【００１３】
請求項３の発明によれば、前記回動部材４には、該回動部材４の長手方向に沿って延在する溝状の取っ手４bが設けられているので、この取っ手４bに手をかけて片引戸１を開閉することができる。
また、前記回動部材４を上下に反転させた場合でも、この取っ手４bは、回動部材４に対して同じ位置に設けられる。つまり、例えば、前記取っ手４bが回動部材４の長手方向に延在する溝状ではなく、回動部材４の上端部のみに設けられた取っ手であれば、回動部材４を反転させることによって、この取っ手が回動部材４の下端部に設けられ、違う場所に位置するが、本発明では、回動部材４の長手方向に延在する溝状の取っ手４bであるので、回動部材４を上下に反転させても回動部材４に対して同じ場所に位置し、この取っ手４bによって片引戸１を容易に開閉することができる。
したがって、この点においても、片引戸１を右開き用および左開き用として兼用することができ、よって、施工作業を簡略化することができるとともにコストの削減にもつながる。
【００１４】
請求項４の発明は、例えば、図３に示すように、請求項２記載の片引戸１の設置構造において、
前記第１〜第３気密材９，２６，２８は、それぞれモヘアで形成されていることを特徴とする。
【００１５】
請求項４の発明によれば、前記第１〜第３気密材９，２６，２８はモヘアで形成されているので、片引戸１によって戸口２が閉鎖された状態では、第１気密材９と第２気密材２６とが噛み合い易く、第１気密材９と第２気密材２６とを確実に密接させることができ、よって、気密性を向上させることができる。
また、片引戸１によって戸口２を閉鎖する際に、第１気密材９と第２気密材２６との緩衝や第３気密材２８と片引戸１との緩衝を和らげたり、衝突音を低減することができる。
【００１６】
前記モヘアは、例えば、動物の毛または植物あるいは合成繊維からなるものである。
【００１７】
【発明の実施の形態】
以下、本発明の実施の形態を図面に基づいて説明する。
図１は、本発明の実施の形態を示すためのもので、片引戸の回動部材を反転させる様子を示す斜視図、図２は、片引戸の下端部を示す斜視図、図３は、片引戸の設置構造を示す平断面図、図４は、図３の拡大図、図５は、片引戸の設置構造を示す控え壁側の側断面図、図６は、片引戸の設置構造を示す戸当たり壁側の側断面図である。
図１および図３に示すように、片引戸１は、戸口２に設置されて該戸口２を開放および閉鎖するためのものである。前記片引戸１は、引戸本体３と、該引戸本体３の側端部のうちの一方の側端部（戸尻側１aの側端部）に引戸本体３の移動方向と直交する面内で回動可能に設けられて、上下が反転可能な回動部材４とを備えている。
【００１８】
前記引戸本体３は、板状で、その両下端部には、戸口２を開放および閉鎖するために引戸本体３を移動可能とする戸車５が２つ設けられている（図２参照）。この戸車５は、引戸本体３の側端部のうちの他方の側端部（戸当たり側１bの側端部）に、固定して取り付けられた固定部材６と、前記回動部材４とにそれぞれ形成された穴１０，８を介して設けられている。
【００１９】
前記回動部材４は、平断面視Ｈ字型で中央に該回動部材４の長手方向に沿って延在する溝状の取っ手４bが設けられた長尺な板状部材であって、この取っ手４bに手をかけて引戸本体３を開閉するようになっている。
この回動部材４の両側端面の上下端部には、前記戸車５を引戸本体３に止着する固定用ビス７aや戸車５の位置を調整する上下調整ビス７b、前後調整ビス７cをねじ込むために、ドライバーを挿入させて調整するための穴８，８，８が形成されている。
つまり、予め、引戸本体３の下端部に戸車５を固定用ビス７aや上下調整ビス７b、前後調整ビス７cによって緩めた状態で取り付けておき、回動部材４を引戸本体３に取り付けた後に、回動部材４に形成された穴８，８，８からドライバーを挿入させて上下調整ビス７bや前後調整ビス７cで戸車５の位置調整を行い、その後、固定用ビス７aを締め付けることによって戸車５を引戸本体３の下端部に取り付けている（図２参照）。
【００２０】
また、回動部材４の回動方向に向く面には、第１気密材９が設けられている。すなわち、第１気密材９は、長尺なブラシ状のモヘアで形成されており、Ｈ字型をなす外側の一方の片４aに設けられている。第１気密材９は、後述するが、片引戸１が戸口２に設置された場合に、控え壁１５側を向く面に、該控え壁１５と所定間隔を隔てて取り付けられている（図４参照）。
この第１気密材９は、例えば、両面接着テープや固定金具や釘等によって回動部材４に取り付けられている。
【００２１】
前記固定部材６は、平断面視Ｈ字型で中央に該固定部材６の長手方向に沿って延在する溝状の取っ手６bが形成された長尺な板状部材であって、この取っ手６bに手をかけて引戸本体３を開閉するようになっている。
この固定部材６の両側端面の下端部にも、前記回動部材４と同様に、戸車５を引戸本体３に止着する固定用ビス７aや戸車５の位置を調整する上下調整ビス７b、前後調整ビス７cをねじ込むために、ドライバーを挿入させて調整するための穴１０，１０，１０が形成されている。
【００２２】
そして、上述したようにして、固定部材６に形成された穴１０，１０，１０からドライバーを挿入させてそれぞれのビス７a,７b,７cを締め付けることによって戸車５を引戸本体３の下端部に取り付けている。
【００２３】
また、前記引戸本体３のうち、前記固定部材６側の表裏面には、錠金物１２や、小窓１３が設けられている。
さらに、前記固定部材６の側端面には、ラッチボルト１１が設けられており、このラッチボルト１１は、後述する戸当たり壁１６の第２縦枠材２４に設けられた受座の孔（図示しない）に、錠金物１２で操作されることにより押し込まれるようになっている。このようにラッチボルト１１が受座の孔に押し込まれることによって、戸口２を閉鎖した場合に、片引戸１が控え壁１５側に跳ね返って戸口２が開くことを防止している。
【００２４】
また、引戸本体３の上面には、図５および図６に示すように、上レール材１４が設けられている。すなわち、前記上レール材１４は、側断面視Ｌ字型で一方の片が引戸本体３の上面にビス（図示しない）によって固定されており、他方の片が上面から突出している。
前記上レール材１４は、後述する上枠材２０の上レール部２９にはめ込まれるようになっており、これによって引戸本体３が上レール部２９に沿って移動するようになっている。
【００２５】
次に、戸口２に前記片引戸１が設置されてなる片引戸１の設置構造について説明する。
図３に示すように、控え壁１５と戸当たり壁１６とによって戸口２が形成されている。前記控え壁１５は、部屋を形成する壁部１７の側端面のうちの外側部分に、該壁部１７から突出して設けられた壁である。
前記戸口２の内周面には、前記片引戸１を設置するための戸枠１８が取り付けられている。
【００２６】
前記戸枠１８は、図３、図５、図６に示すように、前記内周面のうちの左右側面に設けられる縦枠材１９と、上面に設けられる上枠材２０と、下面に設けられる下枠材２１とを備えており、それぞれ左右側面および上下面に向けてビス２２が打ち込まれることにより固定されている。
【００２７】
前記縦枠材１９は、図３に示すように、控え壁１５の戸口２側の側端面および外面にそれぞれ跨るようにして取り付けられる第１縦枠材２３と、戸当たり壁１６の戸口２側の側端面に取り付けられる第２縦枠材２４と、前記部屋を形成する壁部１７の側端面のうちの内側部分（控え壁１５が設けられていない位置）および壁部１７の内面にそれぞれ跨るようにして取り付けられる第３縦枠材２５とを備えている。
【００２８】
前記第１縦枠材２３は、平断面視略Ｌ字型をなしており、その内面（片引戸１側を向く面）には、第２気密材２６である長尺なブラシ状のモヘアが取り付けられている。
この第２気密材２６は、片引戸１と所定間隔を隔てて取り付けられており、戸口２が開放された状態では、片引戸１には接しないで、戸口２が閉鎖された状態で、片引戸１の回動部材４に取り付けられた第１気密材９と噛み合って密接するようになっている（図３および図４参照）。
【００２９】
一方、前記第２縦枠材２４の戸口２側を向く面には、戸当たり部材２７が固定されており、この戸当たり部材２７の内面（片引戸１側を向く面）に、第３気密材２８である長尺なブラシ状のモヘアが取り付けられている。
前記第３気密材２８は、片引戸１によって戸口２が閉鎖された状態で、片引戸１の戸当たり側１bの側端部、すなわち、前記固定部材６の戸口２側を向く面と密接するようになっている（図３参照）。
【００３０】
図５および図６に示すように、前記上枠材２０には、片引戸１を構成する引戸本体３の上面に固定された上レール材１４がはめ込まれる上レール部２９が形成されている。
前記下枠材２１にも、片引戸１を構成する引戸本体３の下端部に取り付けられた戸車５がはめ込まれる下レール部３０が形成されている。
そして、これら上枠材２０の上レール部２９と下枠材２１の下レール部３０とに、それぞれ上レール材１４と戸車５とがはめ込まれて、これによって引戸本体３が上レール部２９および下レール部３０に沿って移動するようになっている。
【００３１】
前記片引戸１は、控え壁１５に重なり、片引戸１の戸尻側１aの側端面が前記第３縦枠材２４に当接することによって、戸口２が開放される。
このように戸口２が開放された状態では、控え壁１５の第１縦枠材２３に設けられた第２気密材２６は、片引戸１と所定間隔を隔てており、片引戸１に接しないようになっている。また、片引戸１に設けられた第１気密材９は、控え壁１５と所定間隔を隔てて設けられており、控え壁１５に接しないようになっている。
【００３２】
一方、片引戸１の戸当たり側１bの側端部が、戸当たり壁１６の第２縦枠材２４に設けられた第３気密材２８に密接するとともに、片引戸１の回動部材４に設けられた第１気密材９が、第１縦枠材２３に設けられた第２気密材２６に噛み合って密接することによって、戸口２が閉鎖される。
【００３３】
なお、上述した片引戸１の設置構造において、前記控え壁１５は図面上では右側に設けられており、前記戸当たり壁１６は左側に設けられ、前記片引戸１は右開きとなっていたが、例えば、前記控え壁１５が図面上で左側に設けられており、前記戸当たり壁１６が右側に設けられて、前記片引戸１を左開きとする場合には、片引戸１を構成する回動部材４を上下に反転させて、戸口２に片引戸１を設置した際に、回動部材４に取り付けられた第１気密材９が控え壁１５側を向くようにすれば良い。
【００３４】
本発明の実施の形態の片引戸１の設置構造によれば、片引戸１に設けられた第１気密材９と、控え壁１５に設けられた第２気密材２６とが、戸口２が閉鎖された状態で密接するので、これら第１気密材９と第２気密材２６とによって、片引戸１の戸尻側１aの側端部で控え壁１５側を向く面と、控え壁１５の戸口２側の側端部で片引戸１側を向く面との間の隙間をなくし、隙間風、光、ほこり等の侵入を防止できる。したがって、これらの間の気密性を確実に確保することができ、冷暖房効率の向上につながる。
【００３５】
また、前記第１気密材９は、片引戸１に控え壁１５と所定間隔を隔てて設けられ、第２気密材２６は、控え壁１５に片引戸１と所定間隔を隔てて設けられているので、片引戸１を開閉する途中で第１気密材９が控え壁１５に擦れたり、第２気密材２６が片引戸１に擦れたりせずに、片引戸１をスムーズに開閉することができる。
【００３６】
前記片引戸１によって戸口２が閉鎖された状態で、戸当たり壁１６に設けられた第３気密材２８に、片引戸１が密接するので、戸当たり壁１６と片引戸１との間の隙間をなくし、これらの間の気密性を確実に確保することができる。
【００３７】
前記片引戸１は、回動部材４を引戸本体３の移動方向と直交する面内で上下に反転させることによって、第１気密材９を引戸本体３の両方の面に選択的に配置できる。
したがって、この片引戸１を右開き用および左開き用として兼用することができ、よって、新たに右開き用や左開き用の片引戸１を随時製造する必要がなく、施工作業を簡略化することができるとともにコストの削減にもつながる。
【００３８】
前記回動部材４には、該回動部材４の長手方向に沿って延在する溝状の取っ手４bが設けられているので、この取っ手４bに手をかけて片引戸１を開閉することができる。
また、回動部材４を上下に反転させた場合でも、この取っ手４bは、回動部材４に対して同じ場所に位置し、この取っ手４bによって片引戸１を容易に開閉することができる。したがって、この点においても、片引戸１を右開き用および左開き用として兼用することができ、よって、施工作業を簡略化することができるとともにコストの削減にもつながる。
【００３９】
前記第１〜第３気密材９，２６，２８はモヘアで形成されているので、片引戸１によって戸口２が閉鎖された状態では、第１気密材９と第２気密材２６とが噛み合い易く、確実に密接させることができる。
また、第１気密材９と第２気密材２６との緩衝や第３気密材２８と片引戸１との緩衝を和らげたり、衝突音を低減することができる。
【００４０】
前記回動部材４の上下端部には、穴８，８，８がそれぞれ形成されているので、回動部材４を上下に反転させても、引戸本体３の下端部に設けられる戸車５を、穴８，８，８からドライバーを挿入させてビス７a,７b,７cを締め付けることによって容易に取り付けることができる。
【００４１】
本発明の実施の形態の片引戸１の設置構造において、前記片引戸１の引戸本体３の上面には上レール材１４が固定されており、この上レール材１４が上枠材２０に形成された上レール部２９にはめ込まれていたが、例えば図７および図８に示すように、片引戸１の引戸本体３の上端部に戸車３１を取り付けるようにしても良い。
この場合は、上枠材３２が上述した上枠材２０に比して、その形状が異なっており、戸車３１がはめ込まれる戸車用レール部材３３が上枠材３２に固定されている。なお、この場合の片引戸１の設置構造の平断面図は、上述した図３と同様の構造とされている。
【００４２】
【発明の効果】
請求項１の発明によれば、前記第１気密材と前記第２気密材とによって、片引戸の戸尻側の側端部で控え壁側を向く面と、控え壁の戸口側の側端部で片引戸側を向く面との間の気密性を確実に確保することができ、冷暖房効率の向上につながる。
また、片引戸を開閉する途中において、第１気密材が控え壁に擦れたり、第２気密材が片引戸に擦れたりせずに、片引戸をスムーズに開閉することができる。
また、前記回動部材を引戸本体の移動方向と直交する面内で上下に反転させることによって、第１気密材を引戸本体の両方の面に選択的に配置できる。したがって、片引戸を右開き用および左開き用として兼用することができ、よって、新たに右開き用や左開き用の片引戸を随時製造する必要がなく、施工作業を簡略化することができるとともにコストの削減にもつながる。
【００４３】
請求項２の発明によれば、請求項１と同様の効果を得ることができるのは勿論のこと、前記第３気密材に片引戸が密接するので、戸当たり壁と片引戸との間の隙間をなくし、これらの間の気密性を確実に確保することができ、冷暖房効率の向上につながる。
【００４５】
請求項３の発明によれば、請求項１又は２と同様の効果を得ることができるのは勿論のこと、前記回動部材には、該回動部材の長手方向に沿って延在する溝状の取っ手が設けられているので、この取っ手に手をかけて片引戸を開閉することができる。
また、回動部材を上下に反転させた場合でも、この取っ手は、回動部材に対して同じ場所に位置し、この取っ手によって片引戸を容易に開閉することができる。したがって、この点においても、片引戸を右開き用および左開き用として兼用することができ、よって、施工作業を簡略化することができるとともにコストの削減にもつながる。
【００４６】
請求項４の発明によれば、請求項２と同様の効果を得ることができるのは勿論のこと、前記第１〜第３気密材はモヘアで形成されているので、片引戸によって戸口が閉鎖された状態では、第１気密材と第２気密材とが噛み合い易く、確実に密接させることができる。
また、第１気密材と第２気密材との緩衝や第３気密材と片引戸との緩衝を和らげたり、衝突音を低減することができる。
【図面の簡単な説明】
【図１】本発明の実施の形態を示すためのもので、片引戸の回動部材を反転させる様子を示す斜視図である。
【図２】同、片引戸の下端部を示す斜視図である。
【図３】同、片引戸の設置構造を示す平断面図である。
【図４】同、図３の拡大図である。
【図５】同、片引戸の設置構造を示す控え壁側の側断面図である。
【図６】同、片引戸の設置構造を示す戸当たり壁側の側端面図である。
【図７】本発明のその他の実施の形態を示すためのもので、片引戸の設置構造の控え壁側の側断面図である。
【図８】同、片引戸の設置構造の戸当たり壁側の側断面図である。
【符号の説明】
１  片引戸
１a  戸尻側
２  戸口
３  引戸本体
４  回動部材
４b  取っ手
９  第１気密材
１５  控え壁
１６  戸当たり壁
２６  第２気密材
２８  第３気密材
【図１】
0004614576.tif 000002
【図２】
0004614576.tif 000003
【図３】
0004614576.tif 000004
【図４】
0004614576.tif 000005
【図５】
0004614576.tif 000006
【図６】
0004614576.tif 000007
【図７】
0004614576.tif 000008
【図８】
0004614576.tif 000009